(57)【要約】      （修正有）【課題】取付容易な分離防止スリーブを提供する。【解決手段】雌ねじが設けられているスリーブ本体１、及びスリーブ本体の端面の周方向に沿って分布している複数のバンプ２であって、バンプには力抜け面と、取付冶具と互いに作用する受力面２１とが設けられており、受力面と力抜け面２２はバンプの周方向の２つの対向側に位置する、複数のバンプを含み、バンプにストッパ溝１１が開設されており、取付治具がスリーブ本体の軸方向に沿って移動することを阻止するように、ストッパ溝には、ストッパ部材３が係合されている。【選択図】図１
0003223658.tif 000002
【実用新案登録請求の範囲】
【請求項１】
雌ねじが設けられているスリーブ本体、及び
前記スリーブ本体の端面の周方向に沿って分布している複数のバンプであって、前記バンプには力抜け面と、取付冶具と互いに作用する受力面とが設けられており、前記受力面と力抜け面がバンプの周方向の２つの対向側に位置する、複数のバンプ
を含む、取付容易な分離防止スリーブであって、
前記バンプにストッパ溝が開設されており、前記ストッパ溝には、取付治具がスリーブ本体の軸方向に沿って移動することを阻止するように、ストッパ部材が係合されていることを特徴とする取付容易な分離防止スリーブ。
【請求項２】
前記受力面は前記スリーブ本体の軸線に平行であり、前記力抜け面は前記スリーブ本体の軸線に対して傾いて配置されていることを特徴とする請求項１に記載の取付容易な分離防止スリーブ。
【請求項３】
前記ストッパ溝は、前記スリーブ本体の径方向上、前記バンプの外側に位置することを特徴とする請求項１又は２に記載の取付容易な分離防止スリーブ。
【請求項４】
前記ストッパ溝は、前記スリーブ本体の周方向に沿って延びることを特徴とする請求項１〜３の何れか一項に記載の取付容易な分離防止スリーブ。
【請求項５】
同一のバンプ上のストッパ溝は複数であり、且つ複数のストッパ溝はスリーブ本体の軸方向に沿って順次分布していることを特徴とする請求項１〜４の何れか一項に記載の取付容易な分離防止スリーブ。
【請求項６】
前記同一のバンプに位置する複数のストッパ溝は互いに平行であることを特徴とする請求項５に記載の取付容易な分離防止スリーブ。
【請求項７】
異なるバンプ上のストッパ溝の数は同じであり且つ互いに位置が対応しており、異なるバンプ上の位置が対応するストッパ溝は、同一平面に位置することを特徴とする請求項１〜６の何れか一項に記載の取付容易な分離防止スリーブ。
【請求項８】
前記ストッパ部材は、全てのバンプの周りに配置されるクランプリングであり、前記クランプリングの異なる部位が、対応する位置のストッパ溝に係合されることを特徴とする請求項１〜７の何れか一項に記載の取付容易な分離防止スリーブ。
【請求項９】
前記クランプリングとストッパ溝との間は分離可能に接続されることを特徴とする請求項８に記載の取付容易な分離防止スリーブ。
【請求項１０】
前記クランプリングは弾性クランプリングであることを特徴とする請求項８または９に記載の取付容易な分離防止スリーブ。
【考案の詳細な説明】
【技術分野】
【０００１】
本考案はスリーブに関し、特に取付容易な分離防止スリーブに関する。
【背景技術】
【０００２】
現在、一般の作動媒体の分離式空調機の室内側は、いずれも管継手及びユニオンナットを用いてエバポレータと接続管とを接続している。しかし、可燃性冷媒を用いる空調機の室内側には、分離可能な継手を使用することができず、従来の設計においては、分離器の開弁時に、室内側は直接エバポレータと接続管の溶接を採用し、室外側は急速継手を採用しており、このような設計は、標準及び安全性要件を満たすことができるが、それには管継手及びユニオンナットによる嵌合が必要であり、取付プロセスが複雑で、コストが高く、且つ密閉性が悪く、管継手とユニオンナットが緩みやすいため、冷媒が漏れてしまい、組立標準及び安全性要件を満たせない場合がある。
【０００３】
現在、分離防止を考慮して設計されたスリーブの中には、スリーブの端部に、受力面及び力抜け面を有するバンプが設けられているものがあり、取付の際に、取付治具が受力面に作用することによってスリーブを締結しているが、スリーブ自体の構造の制限により、受力面との作用時に取付治具が移動することがあり、スリーブの取付に不利である。
【考案の概要】
【考案が解決しようとする課題】
【０００４】
本考案は、上述の問題に対して、取付容易な分離防止スリーブを提供する。
【課題を解決するための手段】
【０００５】
本考案は、
雌ねじが設けられているスリーブ本体、及び
スリーブ本体の端面の周方向に沿って分布している複数のバンプであって、バンプには力抜け面と、取付冶具と互いに作用する受力面とが設けられており、前記受力面と力抜け面はバンプの周方向の２つの対向側に位置する、複数のバンプ
を含み、
バンプにストッパ溝が開設されており、ストッパ溝には、取付治具がスリーブ本体の軸方向に沿って移動することを阻止するように、ストッパ部材が係合されている、取付容易な分離防止スリーブを提供する。
【０００６】
以下に、更にいくつかの選択形態を提供するが、上述の総合的な解決案を追加的に限定するものではなく、更に補充するもの又は好適なものに過ぎない。技術的又は論理的矛盾がない限り、各々の選択形態は、上述の総合的な解決案に対して単独で組み合わせてもよく、複数の選択形態を組み合わせてもよい。
【０００７】
一実施形態において、受力面はスリーブ本体の軸線と平行であり、力抜け面はスリーブ本体の軸線に対して傾いて配置されている。
【０００８】
一実施形態において、スリーブ本体の径方向に沿って、ストッパ溝がバンプの外側に位置する。
【０００９】
一実施形態において、ストッパ溝は、スリーブ本体の周方向に沿って延びる。
【００１０】
一実施形態において、同一のバンプ上のストッパ溝は複数であり、且つ複数のストッパ溝はスリーブ本体の軸方向に沿って順次分布している。
【００１１】
一実施形態において、同一のバンプに位置する複数のストッパ溝は互いに平行である。
【００１２】
一実施形態において、異なるバンプ上のストッパ溝の数は同じであり且つ互いに位置が対応しており、異なるバンプ上の位置が対応するストッパ溝は、同一平面に位置する。
【００１３】
一実施形態において、ストッパ部材は、全てのバンプの周りに配置されるクランプリングであり、クランプリングの異なる部位が、対応する位置のストッパ溝に係合される。
【００１４】
一実施形態において、クランプリングとストッパ溝との間は分離可能に接続される。
【００１５】
一実施形態において、クランプリングは弾性クランプリングである。
【００１６】
本考案は、取付容易な分離防止スリーブを提供する。受力面及び力抜け面を有するバンプにストッパ溝を設け、ストッパ部材を設けてストッパ溝と係合することにより、スリーブを取り付ける際に、取付治具と受力面が互いに作用し、ストッパ溝内に位置するストッパ部材は、取付治具がスリーブ本体の軸方向に沿って変位することを制限して、取付治具がバンプから離脱することを防止することができ、取付が容易である。
【図面の簡単な説明】
【００１７】
【図１】取付容易な分離防止スリーブの構造模式図である。
【図２】取付容易な分離防止スリーブのクランプリングの模式図である。
【図３】異なる角度からのクランプリングの模式図である。
【考案を実施するための形態】
【００１８】
本考案の理解を容易にするために、以下に、関連の図面を参照しながら本考案をより全面的に説明する。添付の図面において、本考案の好ましい実施形態を示している。しかしながら、本考案は多くの様々な形態で実施されることができ、本文に説明される実施形態に限定されない。一方、これらの実施形態の提供は、本考案の開示内容がより詳細且つ全面的に理解されることを目的とする。
【００１９】
なお、ある要素が他の要素に「固定されている」と称される場合、それは他の要素上に直接存在してもよく、又は中間要素が存在してもよい。一つの要素が他の要素に「接続されている」と理解される場合、それは他の要素に直接接続されていてもよく、又は同時に中間要素が存在してもよい。一方、ある要素が他の要素「上」に「直接存在する」と称される場合、中間要素は存在しない。
【００２０】
図１から図３を参照すると、取付容易な分離防止スリーブは、
雌ねじが設けられているスリーブ本体１、及び
スリーブ本体１の端面の周方向に沿って分布している複数のバンプ２であって、バンプ２には力抜け面と、取付冶具と互いに作用する受力面とが設けられており、受力面２１と力抜け面２２はバンプ２の周方向の２つの対向側に位置する、複数のバンプ２を含み、
バンプ２にストッパ溝１１が開設され、取付治具がスリーブ本体１の軸方向に移動することを阻止するようにストッパ溝１１内にストッパ部材３が係合されている。
【００２１】
更に、スリーブ本体１内に設置されている雌ねじは、スリーブと他のボルト又は他の部材との結合を容易にするためのものであり、バンプ２が受力面２１及び力抜け面２２を有することによって、取付容易な分離防止スリーブを取り付ける際に、取付治具とバンプ２上の受力面が作用し、且つバンプ２上のストッパ溝１１に位置するストッパ部材３は、取付治具がスリーブ本体１の軸方向に沿って移動することを制限して、取付治具がバンプ２から離脱することを防止することができ、取付が容易である。
【００２２】
具体的には、図１に示すように、本実施例において、バンプ２上の受力面２１がスリーブ本体１の軸線と平行であるので、取付治具と受力面２１との結合が容易であり、スリーブの取付に有利であり、ここで、力抜け面２２は、スリーブ本体１の軸線に対して傾いて配置されており、スリーブを分離しようとすると、取付治具がスリーブの取付時とは反対方向に移動して、取付治具が傾いて配置された力抜け面２２に沿って滑動するので、取り外すことができない。
【００２３】
図１を参照すると、ストッパ溝１１は、スリーブ本体１の径方向に沿ってバンプ２の最外側に位置し、且つストッパ溝１１は、スリーブ本体に沿って周方向に延在するため、取付治具の変位を制限するストッパ部材３とストッパ溝１１との嵌合を用意とする。
【００２４】
更に、同一のバンプ２上のストッパ溝１１は４つであり、４つのストッパ溝１１はスリーブ本体１の軸方向に沿ってバンプ２上に順次分布しており、且つ４つのストッパ溝１１の間は互いに平行である。４つのストッパ溝１１を設置する目的は、様々な取付治具のサイズに合わせるためである。
【００２５】
なお、他の実施例において、ストッパ溝１１の数は他の数値であってもよく、４つのストッパ溝１１は単に本実施例において選択されたものに過ぎない。
【００２６】
ここで、本実施例において、異なるバンプ２上のストッパ溝１１の数はいずれも４つであり、且つ異なるバンプ２上のストッパ溝１１の位置は対応しており、対応するストッパ溝１１は同一平面にある。このように設置する目的は、ストッパ部材３及び対応するストッパ溝１１の結合を容易にするためである。
【００２７】
図１から図３を参照すると、本実施例において、ストッパ部材３はクランプリングであり、クランプリングはバンプ２全体を取り囲み、且つクランプリングは、異なるバンプ２上の位置が対向するストッパ溝１１に係合される。各バンプ２上のストッパ溝１１が４つあることにより、取付の際に、取付治具のサイズに応じて、クランプリングをどのストッパ溝１１に実際に係合させるかを選択することができるので、取付治具の移動を制限することができる。
【００２８】
なお、クランプリングは弾性クランプリングであり、ストッパ溝１１間の取り外しが容易であるので、クランプリングによってスリーブが分離されることを防止するように、取付容易な分離防止スリーブを取り付けた後は、クランプリングを外さなければならない。
【００２９】
もちろん、他の実施例において、ストッパ部材３は必ずしもクランプリングである必要はなく、他のストッパ部材３であってもよく、ストッパ溝１１と嵌合されることができ、且つスリーブを取り付ける際に、取付治具がスリーブ本体１の軸方向に沿って移動することを制限することができればよい。
【００３０】
以上に述べた実施例の各技術的特徴は、任意に組み合わせることができ、簡潔に説明するために、上述の実施例における各技術的特徴が有し得る全ての組み合わせにおいて説明してはいないが、これらの技術的特徴の組み合わせに矛盾がない限り、いずれも本明細書に記載された範囲にあるとみなされる。
【００３１】
以上に述べた実施例は、単に本考案の幾つかの実施形態を表すものであって、その説明はより具体的且つ詳細なものであるが、これにより考案の範囲が制限されるものと理解してはならない。なお、本考案の趣旨から逸脱しない限り、当業者は若干の変更及び改良を行ってもよく、それらは全て本考案の保護範囲に属する。したがって、本考案の保護範囲は添付の請求の範囲を基準とすべきである。
【図１】
0003223658.tif 000003
【図２】
0003223658.tif 000004
【図３】
0003223658.tif 000005